(57)【要約】【課題】虹のような光模様の発生を抑制することが可能な光制御シートを提供する。【解決手段】光制御シートの光透過部に形成される複数の溝は、反射面と光の入射面に対する法線とのなす角度が第１角度である第１溝と、前記反射面と前記法線とのなす角度が第２角度である第２溝とを少なくとも含み、前記第１角度と前記第２角度が異なる。【選択図】図３
2018155841.tif 000002
【特許請求の範囲】
【請求項１】
第１面及び第２面を有し、前記第１面から入射する光の進行方向を変えて前記第２面へ透過させる光制御シートであって、
前記第１面において間隔を空けて配置された複数の溝を有する光透過部と、
前記溝に形成され、前記光透過部の屈折率と異なる屈折率を有する光制御部と、を含み、
前記光透過部と前記光制御部との間の界面は、前記光の反射面を構成する第１界面と、前記第１界面に対して前記光制御部を挟んで反対側に位置する第２界面と、を有し、
前記第１界面は、前記第１面の法線方向に非平行であり、
前記複数の溝は、前記第１界面の前記反射面と前記法線とのなす角度が第１角度である第１溝と、前記第１界面の前記反射面と前記法線とのなす角度が第２角度である第２溝とを少なくとも含み、
前記第１角度と前記第２角度が異なる、光制御シート。
【請求項２】
前記複数の溝における前記第１界面の前記反射面と前記法線とのなす角度のうち、最小となる角度をα、最大となる角度をα’とした際に、
α’≧1/2[Arcsin(sinθin/nr)-Arcsin(nb/nr{sin(Arcsin(sinθin/nb)-2α)})]
を満たし、ここで、θinは、前記第１面に入射する光の入射角、nrは、656.3nmの光に対する前記光透過部の屈折率であり、nbは、486.1nmの光に対する前記光透過部の屈折率である、請求項１に記載の光制御シート。
【請求項３】
α’− α≧１°である、請求項２に記載の光制御シート。
【請求項４】
α’− α≧０．７°である、請求項２に記載の光制御シート。
【請求項５】
前記第１面は、前記第１界面の前記反射面と前記法線とのなす角度が前記第１面の所定の方向に関して前記αから前記α’へ連続的に変化する部分を含む、請求項２に記載の光制御シート。
【請求項６】
前記第１界面は、
前記第１面から前記第２面に向かって形成され、前記法線方向に対して第１傾斜角度を有する第１傾斜面と、
前記第１傾斜面よりも前記第２面側に形成され、前記法線方向に対して、前記第１傾斜角度よりも小さい第２傾斜角度を有する第２傾斜面と、
を有する、請求項１〜５のいずれか一項に記載の光制御シート。
【請求項７】
前記光透過部の前記屈折率は、前記光制御部の前記屈折率よりも大きい、請求項１〜６のいずれか一項に記載の光制御シート。
【請求項８】
前記光制御部は、樹脂を含む、請求項１〜７のいずれか一項に記載の光制御シート。
【請求項９】
前記光制御部は、気体を含む、請求項１〜８のいずれか一項に記載の光制御シート。
【請求項１０】
前記光制御部は、気体のみを含む、請求項１〜７のいずれか一項に記載の光制御シート。
【請求項１１】
前記第１面は、前記第１溝及び前記第２溝が交互に配置されている部分を含む、請求項１〜１０のいずれか一項に記載の光制御シート。
【請求項１２】
請求項１〜１１のいずれか一項に記載の光制御シートと、
前記光制御シートの前記第１面及び前記第２面の少なくとも一方に接着層を介して配置された透光部材と、
を備える窓部材。
【請求項１３】
請求項１２に記載の窓部材を備える建具。
【発明の詳細な説明】
【技術分野】
【０００１】
本開示は、光制御シート、光制御シートを備える窓部材及び建具に関する。
【背景技術】
【０００２】
近年、省エネルギー等を目的として、日光等の外光の吸収、偏向、反射、透過等の調整を可能とする光制御シートの開発が進められている。特許文献１には、外光を採り入れるための光制御シートが開示されている。
【先行技術文献】
【特許文献】
【０００３】
【特許文献１】特開２０１４−１２６７１３号公報
【発明の概要】
【発明が解決しようとする課題】
【０００４】
特許文献１の光制御シートは、一方の表面に複数の溝を有する光透過部と、上記溝内に形成された光制御部とを備えており、光透過部と光制御部との間の界面によって光を反射させることにより、外光を室内の奥まで導くことが可能である。従来では、光の反射面（すなわち、光透過部と光制御部との間の界面）の角度は、各溝で同じになるように形成されている。
【０００５】
上記の構成において、各波長の光が光透過部の入射側の面に同じ角度で入射した場合、屈折率は波長によって変わるため、各波長の光の屈折角は異なる。例えば、第１波長の光（例えば、赤の光）と第２波長の光（例えば、青の光）の屈折角は互いに異なる。したがって、各波長の光は上記反射面に対して異なる角度で入射し、その後、上記反射面で反射した各波長の光は、光透過部の出射側の面から出るときも、異なる角度で屈折する。結果として、各波長の光はそれぞれ異なる角度で光制御シートから出射して室内に導かれることになる。したがって、従来の光制御シートでは、各波長の光が混ざり合うことなく、室内に虹のような光模様を生じさせる場合がある。
【０００６】
本開示は、虹のような光模様の発生を抑制することが可能な光制御シートを提供する。
【課題を解決するための手段】
【０００７】
本願は上記課題を解決する手段を複数含んでいるが、その一例をあげるならば、第１面及び第２面を有し、前記第１面から入射する光の進行方向を変えて前記第２面へ透過させる光制御シートであって、前記第１面において間隔を空けて配置された複数の溝を有する光透過部と、前記溝に形成され、前記光透過部の屈折率と異なる屈折率を有する光制御部と、を含み、前記光透過部と前記光制御部との間の界面は、前記光の反射面を構成する第１界面と、前記第１界面に対して前記光制御部を挟んで反対側に位置する第２界面と、を有し、前記第１界面は、前記第１面の法線方向に非平行であり、前記複数の溝は、前記第１界面の前記反射面と前記法線とのなす角度が第１角度である第１溝と、前記第１界面の前記反射面と前記法線とのなす角度が第２角度である第２溝とを少なくとも含み、前記第１角度と前記第２角度が異なる、光制御シートが提供される。
【発明の効果】
【０００８】
本開示によれば、虹のような光模様の発生を抑制することができる。本開示に関連する更なる特徴は、本明細書の記述、添付図面から明らかになるものである。また、上記した以外の、課題、構成および効果は、以下の実施形態の説明により明らかにされる。
【図面の簡単な説明】
【０００９】
【図１】本開示の一実施形態に係る建物１の窓部材３の平面図である。
【図２】本開示の一実施形態に係る光制御シート１０の一部を示す概略斜視図である。
【図３】図２の光制御シート１０の概略拡大断面図である。
【図４】本開示の一実施形態に係る溝の複数の例を示す概略断面図である。
【図５】本開示の一実施形態に係る光制御シート１０の一部を示す概略断面図である。
【図６】本開示の一実施形態に係る光制御シート１０の一部を示す概略断面図である。
【図７】本開示の一実施形態に係る第１界面の反射面と光制御シート１０の第１面１０ａの法線方向とのなす角度を説明するための図である。
【図８】本開示の一実施形態に係る関係式を説明するための図である。
【図９】本開示の一実施形態に係る光制御シート１０を示す概略断面図である。
【図１０】本開示の一実施形態に係る窓部材を示す概略断面図である。
【図１１】本開示の一実施形態に係る窓部材を示す概略断面図である。
【発明を実施するための形態】
【００１０】
以下、図面を参照して本開示の一実施形態について説明する。なお、本件明細書に添付する図面においては、図示と理解のしやすさの便宜上、適宜縮尺および縦横の寸法比等を、実物のそれらから変更し誇張してある。
【００１１】
本明細書等において「〜」を用いて表される数値範囲は、「〜」の前後に記載される数値のそれぞれを下限値及び上限値として含む範囲であることを意味する。
【００１２】
本開示の一実施形態に係る光制御シートは、建物の建具の一部として使用されるものである。例えば、建物は、複数の開口部を有し、当該開口部が窓として使用され得る。本明細書等において、窓とは、採光を目的として壁面に設けられた開口部であり、ガラス、樹脂、障子等の透光部材で外界と仕切るものを示す言葉として用いられる。窓という用語は、採光の機能を伴っていれば、人の出入り可能な通路としての開口部、いわゆる戸、扉をも含む広い概念として用いられる。
【００１３】
図１は、本開示の一実施形態に係る建物１の窓部材３の平面図である。建物１は、開口部２を有する。開口部２には窓部材３が配置されている。本例では、窓部材３は、枠４と、枠４の枠組み内に配置されたガラス等の透光部材５とを備える。
【００１４】
本開示の一実施形態に係る光制御シートは、透光部材５のガラスに沿って配置され、ガラスに入射する外光の光路を偏向して、外光が直接入射しない建物１の内部へ導くものである。例えば、光制御シートは、光透過部及び光制御部から構成されており、接着層等を介してガラスの表面に接着される。なお、光制御シートは、建物１の開口部２に沿って配置され、必要に応じて開口部２から入射する光を制御する巻き取り可能なカーテンの形態で使用されてもよい。
【００１５】
図２は、本開示の一実施形態に係る光制御シート１０の一部を示す概略斜視図であり、図３は、図２の光制御シート１０の概略拡大断面図である。光制御シート１０は、第１面１０ａと、第１面１０ａに対して反対側にある第２面１０ｂとを有し、第１面１０ａから入射する光の進行方向を変えて第２面１０ｂへ透過させる。光制御シート１０は、透光性を有するシート状の基材層１１と、光を偏向する光偏向層１２とを備える。基材層１１は、第１基材面１１ａと、第２基材面１１ｂとを有する。光偏向層１２は、基材層１１の第１基材面１１ａに形成されている。
【００１６】
基材層１１は、光偏向層１２を形成するための基材となる層である。基材層１１は、透光性を有するとともに光偏向層１２の変形を防止できるように支持する。かかる観点から、基材層１１を構成する材料の具体例として例えば、アクリル、スチレン、ポリカーボネート、ポリエチレンテレフタレート、アクリロニトリル等のうちの１つ以上を主成分とする透明樹脂や、エポキシアクリレートやウレタンアクリレート系の反応性樹脂（電離放射線硬化型樹脂等）を挙げることができる。
【００１７】
光偏向層１２は、複数の溝２１１〜２１ｎを有する光透過部２２と、複数の溝２１１〜２１ｎに形成され、光透過部２２の屈折率と異なる屈折率を有する光制御部２３とを備える。
【００１８】
光透過部２２は、第１面１０ａにおいて間隔を空けて配置された複数の溝２１１〜２１ｎを有する。また、光透過部２２は、光制御部２３と屈折率が異なる部材である。本実施形態では、例えば図２に示すように、複数の溝２１１〜２１ｎが、第１面１０ａにおいて直線状かつ並列に配列されている。
【００１９】
光透過部２２を構成する材料としては、例えば、アクリル、スチレン、ポリカーボネート、ポリエチレンテレフタレート、アクリロニトリル等の１つ以上を主成分とする透明樹脂や、エポキシアクリレートやウレタンアクリレート系の反応性樹脂（電離放射線硬化型樹脂等）を挙げることができる。ここで、光透過部２２を構成する材料の屈折率は、基材層１１の屈折率と同じであってもよいし、異なっていてもよい。ただし両者間で屈折率差があるとその界面で光が偏向されてしまう可能性が高まるので、同じ材料であること、又は異なる材料であっても屈折率差が小さい、あるいは屈折率差がないことが好ましい。
【００２０】
光制御部２３は、複数の溝２１１〜２１ｎに形成される部分であり、ここに照射された光を全反射して偏向可能に構成された部分である。そのため、光制御部２３は、溝２１１〜２１ｎの空間の少なくとも一部に光透過部２２よりも屈折率が低い材料が充填されることによって形成される。なお、図２及び図３では、光制御部２３に充填される材料の図示は省略されている。光制御部２３の具体的な構成は図５及び図６を用いて後述する。この構成によれば、光制御部２３と光透過部２２との屈折率差、及びその界面に入射する光の角度の関係により、入射した光が全反射条件を満たせばここでその光を全反射して偏向することができる。
【００２１】
なお、光透過部２２と光制御部２３に充填された材料との屈折率差は、０．０３以上、より好ましくは０．０５以上である。屈折率差が０より大きく０．０３より小さい範囲では、全反射時の波長分散（波長により全反射角度が異なることによる分散。）が生じた際に長波長の成分が全反射せず、短波長の成分のみが全反射することがあり、色彩の変化が生じる虞がある。
【００２２】
光偏向層１２は、光透過部２２と光制御部２３との間に界面を有する。光透過部２２と光制御部２３との間の界面は、光の反射面を構成する第１界面２４と、第１界面２４に対して光制御部２３を挟んで反対側に位置する第２界面２５とを有する。第１界面２４は、第１面１０ａの法線方向に非平行な面を含む。ここで、第１面１０ａの法線方向とは、第１面１０ａに対して垂直な方向をさす。図面上では、第１面１０ａの断面は直線状であるため、第１面１０ａの法線方向とは、第１面１０ａに対して垂直な方向をさす。なお、実際には、第１面１０ａの表面に微小な凹凸がある場合もある。この場合には、第１面１０ａを直線で近似し、当該直線を第１面１０ａとみなして法線方向を定義してよい。
【００２３】
第１界面２４は、第１面１０ａから第２面１０ｂに向かって形成され、第１面１０ａの法線方向に対して第１傾斜角度θ１を有する第１傾斜面２４ａと、第１傾斜面２４ａよりも第２面１０ｂ側に形成され、第１面１０ａの法線方向に対して、第１傾斜角度θ１よりも小さい第２傾斜角度θ２を有する第２傾斜面２４ｂとを有する。このように、異なる角度の傾斜面を設けることにより、季節や時間により異なる太陽の高度を考慮し、太陽光を光透過部２２と光制御部２３との界面で全反射して偏向することができる場面を拡大することができる。したがって、第１傾斜角度θ１及び第２傾斜角度θ２は上記の観点から決められることが好ましい。
【００２４】
なお、光透過部２２における溝２１１〜２１ｎの断面及び光透過部２２と光制御部２３との間の界面の構成は、図３の例に限定されない。図４は、本開示の一実施形態に係る溝２１の複数の例を示す概略断面図である。図４（ａ）に示すように、第１界面２４及び／又は第２界面２５が曲線状の断面を有してもよい。また、図４（ｂ）に示すように、第１界面２４が、第１面１０ａの法線方向に非平行な面を一部に含むように構成されてもよい。また、第２界面２５は、第１面１０ａの法線方向に平行であってもよい。また、図４（ｃ）に示すように、第１界面２４の全体が、第１面１０ａの法線方向に非平行な面で構成されてもよい。また、図２及び図３では、全ての溝２１１〜２１ｎの断面が同じ形状で図示されているが、複数の溝２１１〜２１ｎは異なる断面形状の溝を含んでもよい。
【００２５】
図５及び図６は、本開示の一実施形態に係る光制御シート１０を示す概略断面図であり、光制御部２３の具体的な構成を説明する図である。図５の例では、光制御部２３は、第１屈折率ｎ１を有する第１光制御部分２６で構成されている。例えば、第１光制御部分２６は樹脂である。第１光制御部分２６に用いられる材料は、溝２１内に充填することが可能な材料であり、かつ、全反射のための条件（光透過部２２との屈折率差）を満たすことが可能な材料であれば特に限定されるものではない。第１光制御部分２６に用いられる具体的な材料としては、例えば、アクリル、スチレン、ポリカーボネート、ポリエチレンテレフタレート、アクリロニトリル等の１つ以上を主成分とする透明樹脂や、エポキシアクリレートやウレタンアクリレート系の反応性樹脂（電離放射線硬化型樹脂等）を挙げることができる。
【００２６】
図６の例では、光制御部２３は、第１屈折率ｎ１を有する第１光制御部分２６と、第１屈折率ｎ１と異なる第２屈折率ｎ２を有する第２光制御部分２７とを有する。第１屈折率ｎ１は第２屈折率ｎ２よりも大きい。例えば、第１光制御部分２６は樹脂であり、第２光制御部分２７は空気である。なお、第２光制御部分２７は、空気以外の気体でもよく、一例として、窒素などの気体でもよいし、複層ガラスで使用されるアルゴンガス等でもよい。この構成によれば、第１光制御部分２６と第２光制御部分２７との屈折率差、及びその界面に入射する光の角度の関係により、光制御部２３に入射した光が全反射条件を満たせばここでその光を全反射して偏向することができる。この構成によれば、光透過部２２と光制御部２３の第１光制御部分２６との間の界面だけでなく、第１光制御部分２６と第２光制御部分２７との間の界面でも、第１面１０ａから入射した光を反射させることができる。
【００２７】
なお、別の例として、光制御部２３が空気のみで構成されてもよい。この場合、光透過部２２と光制御部２３の空気との間の界面で、第１面１０ａから入射した光を反射させることができる。
【００２８】
図２及び図３に戻り、本実施形態の構成をさらに説明する。本実施形態では、複数の溝２１１〜２１ｎにおいて、第１界面２４の反射面と第１面１０ａの法線方向（以下、単に「法線」という）とのなす角度が一様になっていない。「一様になっていない」とは、複数の溝２１１〜２１ｎにおいて、第１界面２４の反射面と法線とのなす角度が互いに異なる溝が少なくとも２つ含まれていることをさす。図３に示すように、複数の溝２１１〜２１ｎは、第１界面２４の反射面と法線とのなす角度が第１角度α１である第１溝２１１と、第１界面２４の反射面と法線とのなす角度が第２角度α２である第２溝２１２を少なくとも含む。
【００２９】
ここで、「第１界面２４の反射面」とは、第１界面２４が角度の異なる２つ以上の面で構成されている場合は、第１界面２４の始点と終点を結んだ線のことをさす。「第１界面２４の反射面と法線とのなす角度」とは、第１界面２４の始点と終点を結んだ線と法線とのなす角度をさす。
【００３０】
図７は、本開示の一実施形態に係る第１界面２４の反射面と光制御シート１０の第１面１０ａの法線方向とのなす角度を説明するための図である。図７（ａ）に示すように、第１界面２４が２つの傾斜面（第１傾斜面２４ａ及び第２傾斜面２４ｂ）で構成されている場合、第１界面２４の反射面とは、第１傾斜面２４ａの第１面１０ａ側の始点から第２傾斜面２４ｂの終点を結んだ線をさす。図７（ｂ）に示すように、第１界面２４が曲線で構成されている場合、第１界面２４の反射面とは、第１界面２４の第１面１０ａ側の始点から終点を結んだ線をさす。なお、第１界面２４が直線及び曲線の両方の面を含む場合でも同様である。
【００３１】
本実施形態では、図３に示すように、第１溝２１１の第１界面２４が、第１面１０ａの法線方向に対して第１傾斜角度θ１を有する第１傾斜面２４ａと、第１面１０ａの法線方向に対して第２傾斜角度θ２を有する第２傾斜面２４ｂとを有する。また、第２溝２１２の第１界面２４が、第１面１０ａの法線方向に対して第３傾斜角度θ３を有する第１傾斜面２４ａと、第１面１０ａの法線方向に対して第４傾斜角度θ４を有する第２傾斜面２４ｂとを有する。これにより、第１溝２１１の第１角度α１と第２溝２１２の第２角度α２が異なるように構成されている。
【００３２】
上記では、θ１、θ２、θ３、θ４が互いに異なる角度であるが、これに限定されない。第１溝２１１の第１角度α１と第２溝２１２の第２角度α２が異なるように構成されればよいため、例えば、第１溝２１１のθ１とθ２の少なくとも一方が、第２溝２１２のθ３とθ４に対して異なっていればよい。
【００３３】
従来では、光の反射面（すなわち、光透過部と光制御部との間の界面）の角度は、各溝で同じになるように形成されていたが、本実施形態では、光の反射面が複数の溝２１１〜２１ｎにおいて一様となっていないため、入射光を溝ごとで異なる角度で反射することができ、各波長の光が近接し又は混ざり合うことになる。これにより、室内に虹のような光模様が映るのを防ぐことができる。
【００３４】
各波長の光がより効果的に近接し又は混ざり合うことを目的として、第１角度α１を有する第１溝２１１と第２角度α２を有する第２溝２１２が交互に配置されてもよい。ここで、「第１溝２１１と第２溝２１２が交互に配置されている」とは、一連の複数の溝２１１〜２１ｎの全体において交互に配置されている必要はなく、少なくとも一部分で交互に配置されていればよい。
【００３５】
次に、より効果的に虹のような光模様を防ぐために、赤色光（656.3nm）と青色光（486.1nm）が光制御シート１０から出射する角度（以下、出射角度という）について検討する。虹のような光模様を防ぐためには、例えば、赤色光の出射角度と青色光の出射角度が近接していることが好ましい。以下では、赤色光の出射角が青色光の出射角よりも小さくなるように設定する際の関係式を求める。
【００３６】
図８は、上記関係式を説明するための図であり、光制御シート１０に入射する光の入射角度、光の反射面、及び、光制御シート１０から出射する光の出射角度を模式的に表した図である。第１面１０ａに入射する光の入射角をθinとする。赤色光（656.3nm）の光に対する光透過部２２の屈折率をnrとし、青色光（486.1nm）の光に対する光透過部２２の屈折率をnbとする。また、赤色光の屈折角及び青色光の屈折角を、それぞれ、φr、φbとする。また、赤色光の出射角及び青色光の出射角を、それぞれ、θoutr、θoutbとする。また、複数の溝２１１〜２１ｎにおける第１界面２４の反射面と法線とのなす角度のうち、最小となる角度をα、最大となる角度をα’とする。
1.0×sinθin = nb sinφb= nr sinφr
nb sin(φb-2α)=1.0×sinθout b
nr sin(φr-2α’)=1.0×sinθout r
sinθout b≧sinθout r
となる。これらの式から、φb, φr,θout b,θout rを削除すると、以下の式（１）となる。
α’≧1/2[Arcsin(sinθin/nr)-Arcsin(nb/nr {sin(Arcsin(sinθin/nb)-2α)})]    （１）
【００３７】
以上から、本実施形態が式（１）を満たすことが好ましい。式（１）の関係を満たすことにより、赤色光の出射角度と青色光の出射角度が近接し又は混ざり合うことになり、虹のような光模様をより効果的に防ぐことができる。
【００３８】
また、各波長の光が混ざり合うためには、α’とαの角度の差が所定の値以上あることが好ましい。好ましくは、α’− α≧０．７°であり、より好ましくは、α’− α≧１°である。なお、虹模様を軽減する効果に影響はないものの、αの値によって光の出射角（すなわち、出射する方向）が決まるため、α’の値が大きすぎると、所望の方向に光が出射できない場合もある。したがって、好ましくは、α’− α≦１０°であり、より好ましくは、α’− α≦５°である。
【００３９】
図９は、本開示の一実施形態に係る光制御シート１０を示す概略断面図である。好ましくは、複数の溝２１１〜２１ｎは、第１界面２４の反射面と法線とのなす角度が互いに異なる３つ以上の溝を含む。図９の複数の溝２１１〜２１ｎは、第１界面２４の反射面と法線とのなす角度が第１角度α１である第１溝２１１と、第１界面２４の反射面と法線とのなす角度が第２角度α２である第２溝２１２と、第１界面２４の反射面と法線とのなす角度が第３角度α’である第３溝２１３とを含む。第１溝２１１と第２溝２１２の構成は図３と同じであるため、説明を省略する。第３溝２１３の第１界面２４が、第１面１０ａの法線方向に対して第５傾斜角度θ５を有する第１傾斜面２４ａと、第１面１０ａの法線方向に対して第６傾斜角度θ６を有する第２傾斜面２４ｂとを有する。これにより、第１溝２１１の第１角度α１と第２溝２１２の第２角度α２と第３溝２１３の第３角度α’が互いに異なるように構成されている。
【００４０】
ここでは、第１角度α１が、複数の溝２１１〜２１ｎにおける第１界面２４の反射面と法線とのなす角度のうち最小となる角度であり、第３角度α’は最大となる角度である。図９の例では、α１＜α２＜α’である。好ましくは、光制御シート１０の第１面１０ａは、第１界面２４の反射面と法線とのなす角度が第１面１０ａの所定の方向に関してαからα’へ連続的に変化する部分を含んでもよい。図９の例では、第１界面２４の反射面と法線とのなす角度が、上方向に向かって徐々に大きくなっているが、これとは反対の下方向に向かって徐々に大きくなるような構成でもよい。この構成によれば、各波長の光がより効果的に近接し又は混ざり合うことになり、室内に虹のような光模様が映るのを防ぐことができる。
【００４１】
なお、「αからα’へ連続的に変化する」とは、図９の例に限定されず、第１角度α１を有する第１溝２１１が１つ以上並んだ後に、第２角度α２を有する第２溝２１２が１つ以上並び、その次に、第３角度α’を有する第３溝２１３が１つ以上並ぶような構成でもよい。
【００４２】
次に、本実施形態の光制御シート１０の製造方法を説明する。
連続帯状の透明２軸延伸ポリエチレンテレフタレート（ＰＥＴ）フィルム（膜厚：１００μｍ）の一方の表面に、アクリル系モノマー、ウレタンアクリレート系オリゴマー、光重合開始剤等からなる液状の光透過部用組成物を、硬化後の膜厚が１２０μｍとなるように塗布した。
表面の面方向に沿って円周方向に直線状に連なり、その主切断面が、高さ１６５μｍ、版表面側の幅が３３μｍ、版表面から遠い側の幅が１０μｍの台形の凸部を、５９μｍ周期で互いに平行に配列した複数の凸状群（溝２１と同形状且つ逆凹凸）が形成されたロール金型を準備した。
上記ロール金型とＰＥＴフィルムとの間に上記光透過部用組成物が挟まれた状態で、水銀灯を用いて紫外線照射を行い、上記光透過部用組成物を架橋硬化させた後、ロール金型を剥離した。これにより、ＰＥＴフィルム（基材層１１）の片面上に、複数の溝２１１〜２１ｎを有する光透過部２２を形成した。
溝２１１〜２１ｎの断面形状は、上記ロール金型の凸状群の反転形状である。すなわち、複数の溝２１１〜２１ｎは、略台形の凹状群である。
上記紫外線照射の際に、成型箇所が水銀灯の中央部分と端部分でランプ照射角度が異なることから、第１界面２４を構成する傾斜面の角度が変化する。これにより、複数の溝２１１〜２１ｎにおいて、第１界面２４の反射面と法線とのなす角度が一様にならない光制御シート１０を製造することができる。この構成によれば、複数の溝２１１〜２１ｎで反射した光の出射角がそれぞれ変化する。
【００４３】
図１０は、本開示の一実施形態に係る窓部材を示す概略断面図である。本実施形態では、光制御シート１０の第１面１０ａが、接着層３１を介して窓部材を構成する透光部材（例えば、ガラス）３２の表面に接着される。なお、光制御シート１０は、図示しない追加の層を備えてもよい。例えば、光制御シート１０は、第２面１０ｂに、表面保護を目的として、ハードコート層を備えてもよい。
【００４４】
図１１は、本開示の一実施形態に係る窓部材を示す概略断面図である。光制御シート１０は、合わせガラス構造の中間膜として用いられてもよい。窓部材は、第１透光部材（例えば、ガラス）３２と、第２透光部材（例えば、ガラス）３４と、第１透光部材３２と第２透光部材３４との間に配置された光制御シート１０とを備える。第１透光部材３２は、光制御シート１０の第１面１０ａに第１接着層３１を介して接着されている。第２透光部材３４は、光制御シート１０の第２面１０ｂに第２接着層３３を介して接着されている。本実施形態では、光制御シート１０が合わせガラス構造の中間膜として使用されているため、日光等の外光を室内へ導く機能を備えながらも、外部衝撃に強く、また、遮音性も高めた窓部材を提供することができる。
【００４５】
なお、本開示は上述した実施形態に限定されるものではなく、他の様々な変形例が含まれる。例えば、上述した実施形態は本開示を分かりやすく説明するために詳細に説明したものであり、必ずしも説明した全ての構成を備えるものに限定されるものではない。また、ある実施形態の構成の一部を他の実施形態の構成に置き換えることがあり、また、ある実施形態の構成に他の実施形態の構成を加えることも可能である。また、各実施形態の構成の一部について、他の構成の追加・削除・置換をすることが可能である。
【符号の説明】
【００４６】
１        …建物
２        …開口部
３        …窓部材
４        …枠
５        …透光部材
１０      …光制御シート
１０ａ    …光制御シートの第１面
１０ｂ    …光制御シートの第２面
１１      …基材層
１１ａ    …第１基材面
１１ｂ    …第２基材面
１２      …光偏向層
２１１〜２１ｎ…溝
２２      …光透過部
２３      …光制御部
２４      …第１界面
２４ａ    …第１傾斜面
２４ｂ    …第２傾斜面
２５      …第２界面
２６      …第１光制御部分
２７      …第２光制御部分
【図１】
2018155841.tif 000003
【図２】
2018155841.tif 000004
【図３】
2018155841.tif 000005
【図４】
2018155841.tif 000006
【図５】
2018155841.tif 000007
【図６】
2018155841.tif 000008
【図７】
2018155841.tif 000009
【図８】
2018155841.tif 000010
【図９】
2018155841.tif 000011
【図１０】
2018155841.tif 000012
【図１１】
2018155841.tif 000013